【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
広告主の装置から提供される情報に基づいて、複数のアフィリエイトサービスプロバイダを管理する情報処理装置であって、
前記広告主の装置から提供される情報であって、商品の販売サイトへの商品紹介リンクを作成するための素材情報を、複数の前記アフィリエイトサービスプロバイダの装置にそれぞれ配信する素材配信手段と、
前記広告主により設定された報酬の情報を、複数の前記アフィリエイトサービスプロバイダの装置にそれぞれ配信する報酬設定手段と、
複数の前記アフィリエイトサービスプロバイダの装置から前記商品紹介リンクの顧客によるクリックの通知があったとき、前記販売サイトにおける前記商品の売買契約が成立するか否かを監視して、前記商品の売買契約の結果を、前記クリックの通知があった前記アフィリエイトサービスプロバイダの装置に通知する顧客動向監視手段と
を備える情報処理装置。
【請求項２】
複数の前記アフィリエイトサービスプロバイダの装置においてそれぞれ発生している前記報酬の支払い請求を一括して前記広告主に請求するとともに、前記広告主からの入金があると、前記各アフィリエイトサービスプロバイダの支払い請求毎に支払いを行う出納処理手段を
さらに備える請求項１に記載の情報処理装置。
【請求項３】
前記アフィリエイトサービスプロバイダの装置から問い合わせがあったとき、前記問い合わせの内容を前記広告主の装置に対して送信するとともに、前記広告主の装置からの前記問い合わせに対する回答を、前記問い合わせを行った前記アフィリエイトサービスプロバイダの装置に提供する問合せ対応手段を
さらに備える請求項１または２に記載の情報処理装置。
【請求項４】
複数の前記アフィリエイトサービスプロバイダの装置において登録されている前記広告主の登録情報を一元管理するとともに、前記広告主の装置から新たな登録情報が提供された場合に、前記新たな登録情報を複数の前記アフィリエイトサービスプロバイダの装置のそれぞれに配信する登録情報管理手段を
さらに備える請求項１乃至３のいずれかに記載の情報処理装置。
【請求項５】
少なくとも前記クリックの通知があった前記アフィリエイトサービスプロバイダの情報と、前記クリックによって、前記顧客動向監視手段により監視された前記商品の売買契約が成立したか否かの結果とを、販売情報として蓄積する販売情報蓄積手段を
さらに備える請求項１乃至４のいずれかに記載の情報処理装置。
【請求項６】
前記販売情報蓄積手段により蓄積されている前記販売情報を、前記広告主の装置に提供する販売情報提供手段を
さらに備える請求項５に記載の情報処理装置。
【請求項７】
前記販売情報提供手段は、前記販売情報蓄積手段により蓄積されている前記販売情報を、複数の前記アフィリエイトサービスプロバイダ毎に集計して、前記広告主の装置に提供する
請求項６に記載の情報処理装置。
【請求項８】
前記販売情報提供手段は、前記販売情報蓄積手段により蓄積されている前記販売情報を、複数の前記アフィリエイトサービスプロバイダ全体で集計して、前記広告主の装置に提供する
請求項６または７に記載の情報処理装置。
【請求項９】
前記販売情報提供手段は、前記販売情報蓄積手段により蓄積されている前記販売情報としての前記商品紹介リンクのクリック状況を、時系列で把握して、前記広告主の装置に提供する
請求項６乃至８のいずれかに記載の情報処理装置。
【請求項１０】
前記アフィリエイトサービスプロバイダは、携帯電話向けの成果報酬型のアフィリエイトの仕組みを提供するアフィリエイトサービスプロバイダである
請求項１乃至９のいずれかに記載の情報処理装置。
【請求項１１】
素材配信手段と、報酬設定手段と、顧客動向監視手段とを備える情報処理装置の情報処理方法において、
前記素材配信手段が、広告主の装置から提供される情報であって、商品の販売サイトへの商品紹介リンクを作成するための素材情報を、複数のアフィリエイトサービスプロバイダの装置にそれぞれ配信し、
前記報酬設定手段が、前記広告主により設定された報酬の情報を、複数の前記アフィリエイトサービスプロバイダの装置にそれぞれ配信し、
前記顧客動向手段が、複数の前記アフィリエイトサービスプロバイダの装置から前記商品紹介リンクの顧客によるクリックの通知があったとき、前記販売サイトにおける前記商品の売買契約が成立するか否かを監視して、前記商品の売買契約の結果を、前記クリックの通知があった前記アフィリエイトサービスプロバイダの装置に通知するステップ
を含む情報処理方法。
【請求項１２】
コンピュータに、
広告主の装置から提供される情報であって、商品の販売サイトへの商品紹介リンクを作成するための素材情報を、複数のアフィリエイトサービスプロバイダの装置にそれぞれ配信する手順と、
前記広告主により設定された報酬の情報を、複数の前記アフィリエイトサービスプロバイダの装置にそれぞれ配信する手順と、
複数の前記アフィリエイトサービスプロバイダの装置から前記商品紹介リンクの顧客によるクリックの通知があったとき、前記販売サイトにおける前記商品の売買契約が成立するか否かを監視して、前記商品の売買契約の結果を、前記クリックの通知があった前記アフィリエイトサービスプロバイダの装置に通知する手順と
を実行させるためのプログラム。
【手続補正２】
【補正対象書類名】明細書
【補正対象項目名】発明の名称
【補正方法】変更
【補正の内容】
【発明の名称】情報処理装置および方法、並びにプログラム
【手続補正３】
【補正対象書類名】明細書
【補正対象項目名】０００１
【補正方法】変更
【補正の内容】
【０００１】
本発明は、アフィリエイトの仕組みを提供し、また、そのような管理方法を用いた情報処理装置および方法、並びにプログラムに関する。
【手続補正４】
【補正対象書類名】明細書
【補正対象項目名】０００６
【補正方法】変更
【補正の内容】
【０００６】
上記課題を解決するために、本発明の情報処理装置は、広告主の装置から提供される情報に基づいて、複数のアフィリエイトサービスプロバイダを管理する情報処理装置であって、前記広告主の装置から提供される情報であって、商品の販売サイトへの商品紹介リンクを作成するための素材情報を、複数の前記アフィリエイトサービスプロバイダの装置にそれぞれ配信する素材配信手段と、前記広告主により設定された報酬の情報を、複数の前記アフィリエイトサービスプロバイダの装置にそれぞれ配信する報酬設定手段と、複数の前記アフィリエイトサービスプロバイダの装置から前記商品紹介リンクの顧客によるクリックの通知があったとき、前記販売サイトにおける前記商品の売買契約が成立するか否かを監視して、前記商品の売買契約の結果を、前記クリックの通知があった前記アフィリエイトサービスプロバイダの装置に通知する顧客動向監視手段とを備える。
【手続補正５】
【補正対象書類名】明細書
【補正対象項目名】０００８
【補正方法】変更
【補正の内容】
【０００８】
複数の前記アフィリエイトサービスプロバイダの装置においてそれぞれ発生している前記報酬の支払い請求を一括して前記広告主に請求するとともに、前記広告主からの入金があると、前記各アフィリエイトサービスプロバイダの支払い請求毎に支払いを行う出納処理手段をさらに備えることができる。広告主が成果報酬型のアフィリエイトを利用するためにアフィリエイトサービスプロバイダと契約を結ぶと、広告主は、商品が売れた場合にサイト管理者に支払われる報酬金額に見合う金額の預入金を、予めアフィリエイトアフィリエイトサービスプロバイダに入金する必要がある。また、例えば月毎に、サイト管理者への報酬の支払いが発生するので、この預入金の残金が不足しないように注意をする必要がある。さらに、アフィリエイトサービスプロバイダに対しても、運営費用としての固定費や販売金額に応じたマージンの支払いが発生する。これら複数のアフィリエイトサービスプロバイダでそれぞれ発生する支払いを一元的に管理できるので、アフィリエイト利用のための管理コストを低減させることができる。
【手続補正６】
【補正対象書類名】明細書
【補正対象項目名】０００９
【補正方法】変更
【補正の内容】
【０００９】
前記アフィリエイトサービスプロバイダの装置から問い合わせがあったとき、前記問い合わせの内容を前記広告主の装置に対して送信するとともに、前記広告主の装置からの前記問い合わせに対する回答を、前記問い合わせを行った前記アフィリエイトサービスプロバイダの装置に提供する問合せ対応手段をさらに備えることができる。
【手続補正７】
【補正対象書類名】明細書
【補正対象項目名】００１０
【補正方法】変更
【補正の内容】
【００１０】
複数の前記アフィリエイトサービスプロバイダの装置において登録されている前記広告主の登録情報を一元管理するとともに、前記広告主の装置から新たな登録情報が提供された場合に、前記新たな登録情報を複数の前記アフィリエイトサービスプロバイダの装置のそれぞれに配信する登録情報管理手段をさらに備えることができる。
【手続補正８】
【補正対象書類名】明細書
【補正対象項目名】００１１
【補正方法】変更
【補正の内容】
【００１１】
少なくとも前記クリックの通知があった前記アフィリエイトサービスプロバイダの情報と、前記クリックによって、前記顧客動向監視手段により監視された前記商品の売買契約が成立したか否かの結果とを、販売情報として蓄積する販売情報蓄積手段をさらに備えることができる。販売情報を蓄積していれば、各アフィリエイトサービスプロバイダのサーバを巡回して販売情報を得る必要がない。また、巡回して得た販売情報を加工して全体の販売情報を得る等の手間も必要ないので、複数のアフィリエイトサービスプロバイダを利用した場合でも、アフィリエイト利用のための管理コストの増大を抑えることができる。
【手続補正９】
【補正対象書類名】明細書
【補正対象項目名】００１２
【補正方法】変更
【補正の内容】
【００１２】
前記販売情報蓄積手段により蓄積されている前記販売情報を、前記広告主の装置に提供する販売情報提供手段をさらに備えることができる。前記販売情報提供手段は、前記販売情報蓄積手段により蓄積されている前記販売情報を、複数の前記アフィリエイトサービスプロバイダ毎に集計して、前記広告主の装置に提供することができる。このようにすれば、広告主は、アフィリエイトサービスプロバイダ毎に集計された値を比較しながら、販売効率の高いアフィリエイトサービスプロバイダを優先的に利用する等の販売促進計画を練ることができる。
【手続補正１０】
【補正対象書類名】明細書
【補正対象項目名】００１３
【補正方法】変更
【補正の内容】
【００１３】
前記販売情報提供手段は、前記販売情報蓄積手段により蓄積されている前記販売情報を、複数の前記アフィリエイトサービスプロバイダ全体で集計して、前記広告主の装置に提供することができる。契約している全てのアフィリエイトサービスプロバイダの販売情報を集計して表示すれば、広告主はアフィリエイトの利用全般について、その費用対効果を検証することができる。
【手続補正１１】
【補正対象書類名】明細書
【補正対象項目名】００１４
【補正方法】変更
【補正の内容】
【００１４】
前記販売情報提供手段は、前記販売情報蓄積手段により蓄積されている前記販売情報としての前記商品紹介リンクのクリック状況を、時系列で把握して、前記広告主の装置に提供することができる。
【手続補正１２】
【補正対象書類名】明細書
【補正対象項目名】００１５
【補正方法】変更
【補正の内容】
【００１５】
前記アフィリエイトサービスプロバイダは、携帯電話向けの成果報酬型のアフィリエイトの仕組みを提供するアフィリエイトサービスプロバイダとすることができる。携帯電話からインターネットに接続して商品を購入する顧客が増加するのに伴って、携帯電話向けのホームページに対して成果報酬型のアフィリエイトの仕組みを提供するアフィリエイトサービスプロバイダの数が増加しているので、このようなアフィリエイトサービスプロバイダに対して本発明を採用すれば、アフィリエイト利用のための管理コストの増加を抑制することができる。
【手続補正１３】
【補正対象書類名】明細書
【補正対象項目名】００１６
【補正方法】変更
【補正の内容】
【００１６】
本発明の情報処理方法は、素材配信手段と、報酬設定手段と、顧客動向監視手段とを備える情報処理装置の情報処理方法において、前記素材配信手段が、広告主の装置から提供される情報であって、商品の販売サイトへの商品紹介リンクを作成するための素材情報を、複数のアフィリエイトサービスプロバイダの装置にそれぞれ配信し、前記報酬設定手段が、前記広告主により設定された報酬の情報を、複数の前記アフィリエイトサービスプロバイダの装置にそれぞれ配信し、前記顧客動向手段が、複数の前記アフィリエイトサービスプロバイダの装置から前記商品紹介リンクの顧客によるクリックの通知があったとき、前記販売サイトにおける前記商品の売買契約が成立するか否かを監視して、前記商品の売買契約の結果を、前記クリックの通知があった前記アフィリエイトサービスプロバイダの装置に通知するステップを含む。
本発明のプログラムは、コンピュータに、広告主の装置から提供される情報であって、商品の販売サイトへの商品紹介リンクを作成するための素材情報を、複数のアフィリエイトサービスプロバイダの装置にそれぞれ配信する手順と、前記広告主により設定された報酬の情報を、複数の前記アフィリエイトサービスプロバイダの装置にそれぞれ配信する手順と、複数の前記アフィリエイトサービスプロバイダの装置から前記商品紹介リンクの顧客によるクリックの通知があったとき、前記販売サイトにおける前記商品の売買契約が成立するか否かを監視して、前記商品の売買契約の結果を、前記クリックの通知があった前記アフィリエイトサービスプロバイダの装置に通知する手順とを実行させる。
本発明においては、広告主の装置から提供される情報であって、商品の販売サイトへの商品紹介リンクを作成するための素材情報が、複数のアフィリエイトサービスプロバイダの装置にそれぞれ配信され、前記広告主により設定された報酬の情報が、複数の前記アフィリエイトサービスプロバイダの装置にそれぞれ配信され、複数の前記アフィリエイトサービスプロバイダの装置から前記商品紹介リンクの顧客によるクリックの通知があったとき、前記販売サイトにおける前記商品の売買契約が成立するか否かを監視して、前記商品の売買契約の結果が、前記クリックの通知があった前記アフィリエイトサービスプロバイダの装置に通知される。
【手続補正１４】
【補正対象書類名】明細書
【補正対象項目名】００３３
【補正方法】変更
【補正の内容】
【００３３】
販売情報提供手段２ ４ は、顧客動向監視手段２ ０ によって逐次情報が蓄積されるクリック状況データベース３ ４ や売買履歴データベース３ ５ の情報と、商品情報データベース３ ３ や出納データベース３ ６ に蓄積されている情報を関連付けて、広告主３ が必要とする情報を抽出する。また、抽出した情報を、各Ａ Ｓ Ｐ ４ 毎に集計して、他の各Ａ Ｓ Ｐ ４ の集計と比較可能な一覧表にして表示する。また、抽出した情報の全体を集計して、契約しているＡ Ｓ Ｐ４ 全体の販売情報を表示する。さらに、商品紹介リンク１ １ のクリック状況を時系列に表示する。